(57)【要約】【課題】従来の技術では以下の問題がある。常時芳香成分を蒸散させるものでは、その成分の殆どを無駄に消耗している。スプレー式の物ではいちいち操作が面倒である。また、出入口の扉の開閉動作を機械的に伝達させる物では、構造が複雑になり安価に製造できない。風動による物では、十分に機能を発揮できない事があった。【解決手段】本発明の慣性開閉式芳香剤容器は、カップ型容器本体（１）と蓋（２）と回転軸（５）及びオモリ体（４）より構成される。容器本体（１）は扉の開閉時に扉と同時に移動するが、蓋（２）はその質量及びオモリ体（４）の質量から発生する慣性により、容器本体（１）に遅れて移動し容器本体（１）と蓋（２）がずれる事で、芳香剤容器を開口し芳香剤成分を放散させる。その後容器本体（１）に蓋（２）が追いつき芳香剤容器を閉口させる。【選択図】  図６
2004321719.tif 000002
【特許請求の範囲】
【請求項１】
容器本体（１）と蓋（２）より成り、扉の開閉時に蓋（２）の慣性により開閉する事を特徴とする慣性開閉式芳香剤容器。
【請求項２】
容器本体（１）と蓋（２）より成り、蓋（２）にオモリ体（４）が配設されている事を特徴とする慣性開閉式芳香剤容器。
【請求項３】
容器本体（１）と蓋（２）より成り、結合部（３）の鉛直下方向より容器外部側にオモリ体（４）を配置されている事を特徴とする芳香剤容器。
【請求項４】
容器本体（１）と蓋（２）が回転軸（５）で結合され、蓋（２）が回転軸（５）を中心に回転可能に配設されている事を特徴とする慣性開閉式芳香剤容器。
【請求項５】
容器本体（１）と蓋（２）が兆番（６）で結合され、蓋（２）が蓋面に垂直な方向に開閉する事を特徴とする慣性開閉式芳香剤容器。
【請求項６】
一端が容器本体（１）に固定または可動的に結合され、他の一端が蓋（２）に固定または可動的に結合される単独または複数の支持体（７）を配置した事を特徴とする慣性開閉式芳香剤容器。
【請求項７】
一端が容器本体（１）に固定され、他の一端がアーチ型で蓋（２）を押さえる単独または複数の支持体（８）を配置した事を特徴とする慣性開閉式芳香剤容器。
【請求項８】
容器本体（１）と蓋（２）の周囲に傾斜部（５）を付けて密閉性を向上させた事を特徴とする請求項１乃至請求項７記載の慣性開閉式芳香剤容器。
【発明の詳細な説明】
【０００１】
【発明の属する技術分野】
本発明は、トイレ等の入り口の扉の開閉に伴って芳香成分を撒布する芳香剤容器に関する。
【０００２】
【従来の技術】
一般にトイレ内で使用されている芳香剤容器としては、据え置き式の常時芳香成分を蒸散させるものや、手動によるスプレー式の物が市販されている。また扉の開閉動作を利用するものも提案されており、扉の開閉によって噴霧器より芳香成分を噴霧する構造が考案されている。（例えば特許文献１参照）。他に出入口の扉の開閉による風動により連動して開閉される物も考案されている。（例えば特許文献２参照）。
【０００３】
【特許文献１】
特開平８−２０９８５号公報
【特許文献２】
特開２００１−７０４３０号公報
【０００４】
【発明が解決しようとする課題】
しかしながら、従来の技術の芳香剤容器に於いては以下の問題がある。常時芳香成分を蒸散させるものでは芳香剤成分を消耗し続け、実際に必要な時間以外にその成分の殆どを無駄に消耗している。手動によるスプレー式の物ではいちいち操作をしなければならず面倒である。また、出入口の扉の開閉動作を機械的に伝達して噴霧を起こさせる物では、構造が複雑になり調整が難しくまた部品にかかる力が大きく損傷し易い事や、安価に製造できないという問題がある。風動により連動して開閉される物では、扉の開閉を余程大きく早く行わないと、十分な機能を発揮できない事があった。
【０００５】
【課題を解決するための手段】
本発明は図１、図２及び図３に示すとおり、容器本体（１）に可動的に取り付けられた蓋（２）の慣性を利用する事により、簡易な構造で、出入口の扉の開閉によって芳香剤容器の蓋（２）を開閉させて、容器内部に配置された芳香剤（１０）からトイレ内に芳香成分を放散させることが出来る芳香剤容器を構成する。
【０００６】
【発明の実施の形態】
本発明の構造は図４、図５に示すとおりカップ型容器本体（１）と蓋（２）と、蓋（２）の上部に有ってそれらを可動的に結合する結合部（３）及び蓋の表面中央に配置されたオモリ体（４）より構成される。扉に取り付けられた容器本体（１）は扉の開閉時に扉と同時に移動するが、蓋（２）は容器本体（１）に可動的に結合されておりその質量及びオモリ体（４）の質量から発生する慣性により、容器本体（１）に遅れて移動し容器本体（１）と蓋（２）がずれる事で、芳香剤容器を開口し芳香剤成分を放散させる。その後容器本体（１）に蓋（２）が追いつき芳香剤容器を閉口させ芳香剤成分の放散を停止させる。
【０００７】
本発明の第一の実施例を示す図６は、芳香剤容器の開口した状態を示す斜視図である。第一の実施例はトイレ等の出入口の扉が横にスライドする場合に適用され、蓋（２）が容器本体（１）に対して、上部で回転軸（５）により横方向に回動自在に結合され、蓋（２）が回転軸（５）を中心に回転して開閉する芳香剤容器である。扉に取り付けられた容器本体（１）は横にスライドする扉の開閉時に扉と同時に移動するが、蓋（２）はオモリ体（４）の質量から発生する慣性により回転軸（５）を中心として回転し容器本体（１）と蓋（２）がずれる事で、芳香剤容器を開口し芳香剤成分を放散させる。その後容器本体（１）に蓋（２）が追いつき芳香剤容器を閉口させ芳香剤成分の放散を停止させる。
【０００８】
本発明の第二の実施例を示す図７は、芳香剤容器の開口した状態を示す側面図である。第二の実施例はトイレ等の出入口の扉が前後に移動する場合に適用され、蓋（２）が容器本体（１）に対して、上部で兆番（６）を支点として前後方向に移動して開閉する芳香剤容器である。扉に取り付けられた容器本体（１）は前後に移動する扉の開閉時に扉と同時に移動するが、蓋（２）はオモリ体（４）の質量から発生する慣性により兆番（６）を支点として前後方向に移動して、芳香剤容器を開口し芳香剤成分を放散させる。その後容器本体（１）に蓋（２）が追いつき芳香剤容器を閉口させ芳香剤成分の放散を停止させる。
【０００９】
図４に示す様にオモリ体（４）の位置としては、結合部（３）の鉛直下方向より容器外部側にオモリ体（４）を配置する事により、平常時には蓋（２）が容器本体（１）に押し付けられ芳香剤容器を確実に閉口させる事ができる。勿論オモリ体（４）が芳香剤を内包するものでも良い。
【００１０】
本発明の第三の実施例を示す図８及び図９の芳香剤容器は、カップ型容器本体（１）と蓋（２）と、一端が容器本体（１）に可動的に結合され、他の一端が蓋（２）に可動的に結合される複数の支持体（７）及び蓋（２）の表面に配置されたオモリ体（４）より構成される。扉に取り付けられた容器本体（１）に対して、扉の開閉時に蓋（２）がオモリ体（４）の質量から発生する慣性により移動し開口するものである。閉口時には図９に示す様に容器本体（１）と蓋（２）の間に支持体（７）が横たわっているが、開口時には図８に示す様に支持体（７）が立ち上がり芳香成分を放散させる。
【００１１】
本発明の第四の実施例を示す図１０の芳香剤容器は、台形型容器本体（１）と蓋（２）と、一端が容器本体（１）に摺動可能に結合され、他の一端が蓋（２）に固定される複数の支持体（７）及び蓋（２）の表面に配置されたオモリ体（４）より構成される。支持体（７）の容器本体（１）を挟み込む力で閉口しているが、開口時にはオモリ体（４）の質量から発生する慣性により支持体（７）が容器本体（１）の側面をスライドして蓋（２）を浮き上がらせる。
【００１２】
本発明の第五の実施例を示す図１１及び図１２の芳香剤容器は、カップ型容器本体（１）と蓋（２）と、一端が容器本体（１）に固定され、他の一端がアーチ型に曲がり蓋（２）を押さえている複数の支持体（８）及び蓋（２）の表面中央に配置されたオモリ体（４）より構成される。開口時にはオモリ体（４）の質量から発生する慣性により蓋（２）を浮き上がらせ、支持体（８）のアーチ型が変形する。その後、支持体（８）のアーチ部の変形の復元力により蓋（２）を押して閉口させる。
【００１３】
図１３に示す様に容器本体（１）と蓋（２）の周囲に傾斜部（５）を付ける事で密閉性を向上させ、平常時に芳香剤容器を確実に閉口密閉させ芳香成分の放散を押さえ無駄な消耗を防ぐ事ができる。
【００１４】
本芳香剤容器をトイレ等の出入口の扉に取りつける方法は、ネジによる固着でも、粘着剤による貼りつけ、またはそのようにして取りつけられたホルダーへの固定でも構わない。
【００１５】
発明の芳香剤容器本体の材質は特に限定されず、例えば、軽量で耐蝕性の優れたポリウレタン、ポリエチレン、ポリ塩化ビニール、ポリプロピレン等の重合系高分子樹脂等が適している。蓋の材質については、慣性により開口する程度の質量が要求される為、金属等の比重の大きい材質が好ましい。別にオモリ体（４）を付加する場合等に於いては、容器本体と同様の材質で構わない。
本発明の第三の実施例を示す図８の容器本体（１）、蓋（２）及び支持体（７）の材質については、ポリ塩化ビニール、ポリプロピレン等の軟質の重合系高分子樹脂等が適している。
【００１６】
芳香剤容器本体及び蓋の形状は、角筒状、円筒状等の色々な形を取る事が出来る。容器本体及び可動する蓋とで構成され芳香剤を内包する物であればどんな形状でも構わない。
【００１７】
【発明の効果】
本発明の芳香剤容器は、出入口の扉の開閉によって、芳香剤容器の蓋が慣性を利用して開閉され、簡易な構成で便所内に芳香成分を放散させることが出来る。
【図面の簡単な説明】
【図１】本発明の実施例の側面図である。
【図２】本発明の実施例の正面図である。
【図３】本発明の実施例の断面図である。
【図４】本発明の実施例のオモリ体付きの側面図である。
【図５】本発明の実施例のオモリ体（４）付きの正面図である。
【図６】本発明の実施例の蓋（２）が回転した斜視図である。
【図７】本発明の実施例の蓋（２）が開口した側面図である。
【図８】本発明の実施例の複数の支持体（７）を配置した側面図である。
【図９】本発明の実施例の複数の支持体（７）を配置した正面図である。
【図１０】本発明の実施例の複数の支持体（７）を配置した側面図である。
【図１１】本発明の実施例の複数の支持体（８）を配置した側面図である。
【図１２】本発明の実施例の複数の支持体（８）を配置した正面図である。
【図１３】本発明の実施例の周囲に傾斜部（５）を付けた側面図である。
【符号の説明】
１・・・・容器本体
２・・・・蓋
３・・・・結合部
４・・・・オモリ体
５・・・・回転軸
６・・・・兆番
７・・・・支持体
８・・・・アーチ型支持体
９・・・・傾斜部
１０・・・芳香剤
【図１】
2004321719.tif 000003
【図２】
2004321719.tif 000004
【図３】
2004321719.tif 000005
【図４】
2004321719.tif 000006
【図５】
2004321719.tif 000007
【図６】
2004321719.tif 000008
【図７】
2004321719.tif 000009
【図８】
2004321719.tif 000010
【図９】
2004321719.tif 000011
【図１０】
2004321719.tif 000012
【図１１】
2004321719.tif 000013
【図１２】
2004321719.tif 000014
【図１３】
2004321719.tif 000015